(57)【特許請求の範囲】
【請求項１】
架橋筒を通過するケーブルに赤外線ヒータによる赤外線を照射してケーブル被覆を架橋するケーブル被覆架橋装置において、
前記ケーブルに直接的に照射される前記赤外線を遮蔽する遮蔽板を備え、
前記架橋筒は、その外周面から突出した開口部と、該開口部に取り付けられた覗き窓とを有し、
前記遮蔽板は、前記開口部内に位置しており、
前記赤外線ヒータは、前記架橋筒の外部に設置されており、前記覗き窓を通して前記架橋筒を通過する前記ケーブルに赤外線を照射して前記ケーブル被覆を架橋することを特徴とするケーブル被覆架橋装置。
【請求項２】
前記架橋筒は、その内周面が鏡面加工されている請求項１に記載のケーブル被覆架橋装置。
【発明の詳細な説明】
【技術分野】
【０００１】
本発明は、連続架橋方式によりケーブル被覆を架橋するためのケーブル被覆架橋方法及びケーブル被覆架橋装置に関する。
【背景技術】
【０００２】
連続架橋方式によりケーブル被覆を架橋する際は、例えば、図５に示す通り、ケーブル被覆架橋装置５００を使用して、高所に配置されているミータリングキャプスタン５０１からケーブル素線５０２を送り出し、押出機５０３でケーブル素線５０２の周囲にケーブル被覆５０４を押出被覆し、架橋筒５０５で架橋工程と冷却工程とを経てケーブル被覆５０４を架橋すると共に冷却し、しかる後、低所に配置されているテンショニングキャプスタン５０６でケーブル５０７を巻き取ることにより、連続的にケーブル被覆５０４の架橋を実施している。
【０００３】
ケーブル被覆架橋装置５００においては、架橋筒５０５の上流側に飽和水蒸気を導入してケーブル被覆５０４を架橋しており、架橋筒５０５の下流側に冷却水を導入してケーブル被覆５０４を冷却している（例えば、特許文献１を参照）。
【先行技術文献】
【特許文献】
【０００４】
【特許文献１】特開平７−１９２５６１号公報
【発明の概要】
【発明が解決しようとする課題】
【０００５】
ケーブル被覆５０４の架橋を実施する際は架橋筒５０５でケーブル被覆５０４を加熱すると共に加圧する必要があるが、ケーブル被覆架橋装置５００においては飽和水蒸気を使用しているため、ケーブル被覆５０４を架橋する際の温度が蒸気圧に依存する。
【０００６】
従って、ケーブル被覆架橋装置５００においては、架橋ライン長を充分に確保する必要があるため、ケーブル被覆架橋装置５００の省スペース化を図ることが難しく、またケーブル被覆５０４を架橋する際の温度と圧力とを別々に制御することができないため、適用製品の拡大を図ることが難しいという課題がある。
【０００７】
そこで、本発明の目的は、従来と比較して省スペース化を図ることができると共に適用製品の拡大を図ることができるケーブル被覆架橋方法及びケーブル被覆架橋装置を提供することにある。
【課題を解決するための手段】
【０００８】
本発明は、架橋筒を通過するケーブルに赤外線ヒータによる赤外線を照射してケーブル被覆を架橋するケーブル被覆架橋装置において、前記ケーブルに直接的に照射される前記赤外線を遮蔽する遮蔽板を備え、前記架橋筒は、その外周面から突出した開口部と、該開口部に取り付けられた覗き窓とを有し、前記遮蔽板は、前記開口部内に位置しており、前記赤外線ヒータは、前記架橋筒の外部に設置されており、前記覗き窓を通して前記架橋筒を通過する前記ケーブルに赤外線を照射して前記ケーブル被覆を架橋することを特徴とするケーブル被覆架橋装置である。
【００１１】
前記架橋筒は、内周面が鏡面加工されていることが望ましい。
【００１２】
前記ケーブルに直接的に照射される赤外線を遮蔽する遮蔽板を更に備えていることが望ましい。
【発明の効果】
【００１３】
本発明によれば、従来と比較して省スペース化を図ることができると共に適用製品の拡大を図ることができるケーブル被覆架橋方法及びケーブル被覆架橋装置を提供することができる。
【図面の簡単な説明】
【００１４】
【図１】第一の参考の形態に係るケーブル被覆架橋装置を示す断面図である。
【図２】第二の参考の形態に係るケーブル被覆架橋装置を示す断面図である。
【図３】第三の参考の形態に係るケーブル被覆架橋装置を示す断面図である。
【図４】第一の実施の形態に係るケーブル被覆架橋装置を示す断面図である。
【図５】従来技術に係るケーブル被覆架橋装置を示す側面図である。
【発明を実施するための形態】
【００１５】
以下、本発明の実施の形態を添付図面に順って説明する。
【００１６】
先ず、第一の実施の形態に係るケーブル被覆架橋装置を説明する。
【００１７】
図１に示す通り、第一の参考の形態に係るケーブル被覆架橋装置１００は、架橋筒１０１を通過するケーブル１０２に赤外線１０３を照射してケーブル被覆１０４を架橋するケーブル被覆架橋方法を実現するための装置であり、架橋筒１０１を通過するケーブル１０２に赤外線１０３を照射してケーブル被覆１０４を架橋する赤外線ヒータ１０５を備えている。
【００１８】
第一の参考の形態に係るケーブル被覆架橋装置１００においては、架橋筒１０１に空気又は窒素ガス等の不活性ガスを導入してケーブル１０２を加圧することにより、ケーブル被覆１０４を架橋する際の圧力を所望の圧力に維持している。
【００１９】
ケーブル１０２は、例えば、ケーブル素線１０６と、ケーブル素線１０６の周囲に形成されているケーブル被覆１０４と、有している。ケーブル素線１０６は、例えば、銅や銅合金からなる導体であり、ケーブル被覆１０４は、例えば、架橋ポリエチレンからなる樹脂層である。
【００２０】
赤外線ヒータ１０５は、ケーブル１０２の全周に赤外線１０３を直接的に照射してケーブル被覆１０４の全体を架橋するように、例えば、架橋筒１０１の内部の上下左右のそれぞれに一本ずつ設置されている。
【００２１】
第一の参考の形態に係るケーブル被覆架橋装置１００においては、赤外線ヒータ１０５でケーブル１０２に赤外線１０３を照射してケーブル被覆１０４を架橋しているため、ケーブル１０２が赤外線１０３を吸収して短時間でケーブル被覆１０４を加熱することが可能となり、従来と比較して架橋ライン長を短縮して省スペース化を図ることができる。
【００２２】
また、第一の参考の形態に係るケーブル被覆架橋装置１００においては、ケーブル被覆１０４の架橋を実施する際に飽和水蒸気を使用していないため、ケーブル被覆１０４を架橋する際の温度と圧力とを別々に制御することが可能となり、適用製品の拡大を図ることができる。
【００２３】
次に、第二の参考の形態に係るケーブル被覆架橋装置を説明する。
【００２４】
図２に示す通り、第二の参考の形態に係るケーブル被覆架橋装置２００は、第一の参考の形態に係るケーブル被覆架橋装置１００と比較して、架橋筒１０１に取り付けられている覗き窓２０１を更に備えており、赤外線ヒータ１０５は、覗き窓２０１を通じて架橋筒１０１を通過するケーブル１０２に赤外線を照射してケーブル被覆１０４を架橋する点が異なっている。
【００２５】
赤外線ヒータ１０５は、ケーブル１０２の全周に赤外線１０３を直接的に照射してケーブル被覆１０４の全体を架橋するように、例えば、架橋筒１０１の外部の上下左右のそれぞれに一本ずつ設置されている。
【００２６】
覗き窓２０１は、赤外線１０３を透過させる石英ガラス等からなり、赤外線ヒータ１０５でケーブル１０２に赤外線１０３をケーブル進行方向に対して直行する方向から照射するように、例えば、架橋筒１０１の外部の上下左右のそれぞれに一枚ずつ取り付けられている。また、覗き窓２０１は、架橋筒１０１に形成されている開口部２０２と覗き窓２０１を開口部２０２に押さえ付けて固定する固定環２０３とで挟持されている。
【００２７】
第二の参考の形態に係るケーブル被覆架橋装置２００においては、赤外線ヒータ１０５でケーブル１０２に赤外線１０３を照射してケーブル被覆１０４を架橋しているため、ケーブル１０２が赤外線１０３を吸収して短時間でケーブル被覆１０４を加熱することが可能となり、従来と比較して架橋ライン長を短縮して省スペース化を図ることができる。
【００２８】
また、第二の参考の形態に係るケーブル被覆架橋装置２００においては、ケーブル被覆１０４の架橋を実施する際に飽和水蒸気を使用していないため、ケーブル被覆１０４を架橋する際の温度と圧力とを別々に制御することが可能となり、適用製品の拡大を図ることができる。
【００２９】
更に、第二の参考の形態に係るケーブル被覆架橋装置２００においては、赤外線ヒータ１０５が架橋筒１０１の外部に設置されているため、赤外線ヒータ１０５の保守が容易となり、またケーブル１０２が架橋筒１０１の内部で暴れてもケーブル１０２と赤外線ヒータ１０５とが接触せず、ケーブル１０２の損傷を抑制することが可能となる。
【００３０】
次に、第三の参考の形態に係るケーブル被覆架橋装置を説明する。
【００３１】
図３に示す通り、第三の参考の形態に係るケーブル被覆架橋装置３００は、第二の参考の形態に係るケーブル被覆架橋装置２００と比較して、覗き窓２０１が架橋筒１０１の外部の一カ所のみに取り付けられていると共に赤外線ヒータ１０５が架橋筒１０１の外部の一カ所のみに設置されており、架橋筒１０１の内周面３０１が研磨等によって鏡面加工されている点が異なっている。
【００３２】
第三の参考の形態に係るケーブル被覆架橋装置３００においては、赤外線ヒータ１０５でケーブル１０２に赤外線１０３を照射してケーブル被覆１０４を架橋しているため、ケーブル１０２が赤外線１０３を吸収して短時間でケーブル被覆１０４を加熱することが可能となり、従来と比較して架橋ライン長を短縮して省スペース化を図ることができる。
【００３３】
また、第三の参考の形態に係るケーブル被覆架橋装置３００においては、ケーブル被覆１０４の架橋を実施する際に飽和水蒸気を使用していないため、ケーブル被覆１０４を架橋する際の温度と圧力とを別々に制御することが可能となり、適用製品の拡大を図ることができる。
【００３４】
更に、第三の参考の形態に係るケーブル被覆架橋装置３００においては、赤外線ヒータ１０５が架橋筒１０１の外部に設置されているため、赤外線ヒータ１０５の保守が容易となり、またケーブル１０２が架橋筒１０１の内部で暴れてもケーブル１０２と赤外線ヒータ１０５とが接触せず、ケーブル１０２の損傷を抑制することが可能となる。
【００３５】
また、第三の参考の形態に係るケーブル被覆架橋装置３００においては、赤外線ヒータ１０５が架橋筒１０１の外部の一カ所のみに設置されていると共に架橋筒１０１の内周面３０１が鏡面加工されているため、複数本の赤外線ヒータ１０５を設置しなくても赤外線ヒータ１０５から見てケーブル１０２の裏面にも赤外線１０３を反射させて照射することが可能となり、赤外線ヒータ１０５の本数を削減することができる。
【００３６】
次に、第一の実施の形態に係るケーブル被覆架橋装置を説明する。
【００３７】
図４に示す通り、第一の実施の形態に係るケーブル被覆架橋装置４００は、第三の参考の形態に係るケーブル被覆架橋装置３００と比較して、ケーブル１０２に直接的に照射される赤外線１０３を遮蔽する遮蔽板４０１を更に備えている点が異なっている。
【００３８】
第一の実施の形態に係るケーブル被覆架橋装置４００においては、赤外線ヒータ１０５でケーブル１０２に赤外線１０３を照射してケーブル被覆１０４を架橋しているため、ケーブル１０２が赤外線１０３を吸収して短時間でケーブル被覆１０４を加熱することが可能となり、従来と比較して架橋ライン長を短縮して省スペース化を図ることができる。
【００３９】
また、第一の実施の形態に係るケーブル被覆架橋装置４００においては、ケーブル被覆１０４の架橋を実施する際に飽和水蒸気を使用していないため、ケーブル被覆１０４を架橋する際の温度と圧力とを別々に制御することが可能となり、適用製品の拡大を図ることができる。
【００４０】
更に、第一の実施の形態に係るケーブル被覆架橋装置４００においては、赤外線ヒータ１０５が架橋筒１０１の外部に設置されているため、赤外線ヒータ１０５の保守が容易となり、またケーブル１０２が架橋筒１０１の内部で暴れてもケーブル１０２と赤外線ヒータ１０５とが接触せず、ケーブル１０２の損傷を抑制することが可能となる。
【００４１】
また、第一の実施の形態に係るケーブル被覆架橋装置４００においては、赤外線ヒータ１０５が架橋筒１０１の外部の一カ所のみに設置されていると共に架橋筒１０１の内周面３０１が鏡面加工されているため、複数本の赤外線ヒータ１０５を設置しなくても赤外線ヒータ１０５から見てケーブル１０２の裏面にも赤外線１０３を反射させて照射することが可能となり、赤外線ヒータ１０５の本数を削減することができる。
【００４２】
更に、第一の実施の形態に係るケーブル被覆架橋装置４００においては、ケーブル１０２に直接的に照射される赤外線１０３を遮蔽する遮蔽板４０１を更に備えているため、ケーブル１０２に照射される赤外線１０３の熱量を均一化してケーブル被覆１０４の架橋を均一化することが可能となり、ケーブル１０２の品質を向上させることができる。
【００４３】
以上の通り、本発明によれば、従来と比較して省スペース化を図ることができると共に適用製品の拡大を図ることができるケーブル被覆架橋方法及びケーブル被覆架橋装置を提供することができる。
【符号の説明】
【００４４】
１００  ケーブル被覆架橋装置
１０１  架橋筒
１０２  ケーブル
１０３  赤外線
１０４  ケーブル被覆
１０５  赤外線ヒータ
１０６  ケーブル素線
２００  ケーブル被覆架橋装置
２０１  覗き窓
２０２  開口部
２０３  固定環
３００  ケーブル被覆架橋装置
３０１  内周面
４００  ケーブル被覆架橋装置
４０１  遮蔽板
【図１】
0006540192.tif 000002
【図２】
0006540192.tif 000003
【図３】
0006540192.tif 000004
【図４】
0006540192.tif 000005
【図５】
0006540192.tif 000006